(57)【要約】【課題】ケーブルハンガがメッセンジャーワイヤに取り付けた位置から移動すること、及びメッセンジャーワイヤから外れて落下してしまうことを防ぐことができるケーブルハンガの移動留め具を提供する。【解決手段】メッセンジャーワイヤ６０とケーブルハンガ５０とが接触して交差する交差部分４に、メッセンジャーワイヤ６０とケーブルハンガ５０のいずれか一方を弾性変形力によって把持し、他方を保持する形状、又はその両方を弾性変形力によって把持する形状を有するケーブルハンガの移動留め具を取り付ける。【選択図】図１
2011188566.tif 000002
【特許請求の範囲】
【請求項１】
メッセンジャーワイヤ（６０）に掛着したケーブルハンガ（５０）の移動や外れを防ぐための留め具であって、
前記メッセンジャーワイヤ（６０）と前記ケーブルハンガ（５０）とが接触して交差する交差部分（４）に取り付けられ、メッセンジャーワイヤ（６０）とケーブルハンガ（５０）のいずれか一方を弾性変形力によって把持し、他方を保持する形状、又はその両方を弾性変形力によって把持する形状を有する、ことを特徴とするケーブルハンガの移動留め具。
【請求項２】
前記移動留め具は、上部（２）と、該上部（２）の両端から対向して伸長する側部（３）と、からなる略コの字状に形成された弾性体であり、
該上部（２）の内周縁は、前記交差部分（４）のケーブルハンガ（５０）の上側の形状に沿うように外側に凸状に湾曲して形成され、
対向する前記側部（３）の先端により形成される開口部の間隔は、メッセンジャーワイヤ（６０）の断面の径より小さくなっている、ことを特徴とする請求項１に記載のケーブルハンガの移動留め具。
【請求項３】
前記移動留め具は、メッセンジャーワイヤ（６０）を弾性変形力により抱えるように把持する把持部（１２ｂ）と、該把持部（１２ｂ）の端部とつながり、ケーブルハンガ（５０）を挟むように保持する保持部（１２ａ）と、からなる略イプシロンの小文字形状とした弾性体であり、
該把持部（１２ｂ）と該保持部（１２ａ）とをつなぐ連結部（５）が、移動留め具の両端の位置より突出するように形成された、ことを特徴とする請求項１に記載のケーブルハンガの移動留め具。
【請求項４】
前記移動留め具は、コイル形状を有する弾性体であり、
前記メッセンジャーワイヤ（６０）と前記ケーブルハンガ（５０）とを圧接するように巻き付けられて取り付けられる、ことを特徴とする請求項１に記載のケーブルハンガの移動留め具。
【請求項５】
前記移動留め具は、前記交差部分（４）においてケーブルハンガ（５０）の軸方向と垂直に、ケーブルハンガ（５０）を鉛直方向上側から押さえ、メッセンジャーワイヤ（６０）との間に挟むように保持する保持部（１４ａ）と、
該保持部（１４ａ）の一端側に形成され、前記メッセンジャーワイヤ（６０）を抱えるように把持する把持部（１４ｂ）と、
該保持部（１４ａ）の他端側に形成され、前記メッセンジャーワイヤ（６０）に巻き付く螺旋部（１４ｃ）と、を有し、
該移動留め具は、前記把持部（１４ｂ）をメッセンジャーワイヤ（６０）に嵌め込むことで、前記保持部（１４ａ）が該交差部分（４）の上側を跨ぐように形成され、さらに前記螺旋部（１４ｃ）をメッセンジャーワイヤ（６０）に巻き付けて取り付けられる、ことを特徴とする請求項１に記載のケーブルハンガの移動留め具。
【請求項６】
前記移動留め具は、両端に掛け部（１５ｂ、１５ｃ）を形成した弾性体であって、
該掛け部の一方（１５ｂ）をメッセンジャーワイヤ（６０）に掛着するために屈曲して形成されたケーブルハンガ（５０）のフック部（５２又は５３）の交差部分（４）より先端側である外側に、他方の掛け部（１５ｃ）を前記フック部（５３又は５２）の交差部分（４）より内側に、メッセンジャーワイヤ（６０）を下側から支えるように引き伸ばした状態で掛止することによって、間隔の狭いフック部の交差部分（４）方向へ付勢力を働かせて、前記メッセンジャーワイヤ（６０）を前記ケーブルハンガ（５０）に圧接させる、
ことを特徴とする請求項１に記載のケーブルハンガの移動留め具。
【発明の詳細な説明】
【技術分野】
【０００１】
本発明は、引込み線（以下、ケーブル）等の電線を支持するために吊架用線（以下、メッセンジャーワイヤ）に吊架されたケーブルハンガが、風等の影響により当初の取り付け位置から移動することや、メッセンジャーワイヤから外れることを防止するケーブルハンガの移動留め具に関する。
【背景技術】
【０００２】
各家庭に電気を送るために引込み線（ケーブル）を施設する際等には、電柱の間に架設されたメッセンジャーワイヤに複数個のケーブルハンガを一定（１ｍ以下）の間隔で吊架し、これらのケーブルハンガによって引込み線を吊り下げることがある。
ケーブルハンガはその取り付け・取り外しが簡単であり、引込線の増架や減架によりケーブルハンガの吊り下げ間隔を変更する場合にも容易に対応することが可能であるといった特徴がある。また、風圧等によりケーブルやメッセンジャーワイヤが揺れても、ケーブルハンガがメッセンジャーワイヤに固定されておらず、それらの揺動に順応してある程度回動可能に動くことができるので、ケーブルやメッセンジャーワイヤが捩れや捻りによる損傷を受けることを防ぐことができるといった特徴も有している。
【０００３】
図６はメッセンジャーワイヤに吊架したケーブルハンガの一例を示した図であり、（ａ）はメッセンジャーワイヤの中心軸に対して垂直方向から見た正面図、（ｂ）は平面図、（ｃ）は右側面図である。
ケーブルハンガ５０は、図に示すように、線状部材５１とその線状部材５１の中央部分に挿嵌されたケーブル受具５５とからなり、全体として螺旋状に曲げられて形成されている。線状部材５１の両端部分は、メッセンジャーワイヤ６０に吊架するためのＵ形状フック部５２及び略環状フック部５３となっており、両フック部の間は、ケーブル６１を通すためのケーブル支持部５４となっている。ケーブル支持部５４においては、メッセンジャーワイヤ６０の軸方向に向かって螺旋状に略１周分だけ湾曲された線状部材５１に、ケーブル受具５５が挿嵌されている（図６（ｃ）参照）。
【０００４】
図６（ａ），（ｂ）に示すようにケーブル支持部５４は、線状部材５１を湾曲させ、前述のケーブル受具５５により、ケーブル６１を受け止める構造となっている。
Ｕ形状フック部５２は、線状部材５１の一端をＵ形状に折り曲げ捻った形状であり、略環状フック部５３は、線状部材５１の他の一端を略環状に折り曲げ捻った形状を有する。図６（ｂ）に示すように、Ｕ形状フック部５２と略環状フック部５３の先端は、屈曲部分において、互いに反対の方向に捻られた形をしており、メッセンジャーワイヤ６０に対して、斜めに接するように取り付けられる。ケーブルハンガ５０とメッセンジャーワイヤ６０の接触面積を大きくすることで、メッセンジャーワイヤ６０の損傷を防いでいる。
【０００５】
また、図６（ａ）に示すように、Ｕ形状フック部５２と略環状フック部５３は、ケーブル支持部５４が螺旋状であるので、ケーブル支持部５４の螺旋の中心軸の方向に互いに離れた位置にあるが、互いに反対の方向に屈曲されているため、ケーブルの中心軸方向から見ると、図６（ｃ）に示すように、メッセンジャーワイヤ６０に取り付けた後にはＵ形状フック部５２と環状フック部５３の２つのフックがメッセンジャーワイヤ６０を囲み込み、外れにくい構造になっている。
【０００６】
ケーブルハンガ５０をメッセンジャーワイヤ６０に取り付けるには、まずケーブルハンガ５０をメッセンジャーワイヤ６０に対して垂直になるようにして略環状フック部５３を引っ掛け、その後、略環状フック部５３を中心としてケーブルハンガ５０を略９０度回転
させＵ形状フック部５２をメッセンジャーワイヤ６０の下から潜らせ、メッセンジャーワイヤ６０を少し捩って、Ｕ形状フック部５２をメッセンジャーワイヤ６０に引っ掛ける。
【０００７】
このようにケーブルハンガ５０を略９０度回転させることによって、図６（ａ），（ｂ）に示すように、メッセンジャーワイヤ６０は、略環状フック部５３の屈曲部の内側の接触面５３ａ，５３ｂにおいて挟持された状態となる。さらに、図６（ｃ）に示すように、略環状フック部５３においては、メッセンジャーワイヤ６０は線状部材５１に囲まれた状態になっている。そのため、略環状フック部５３に鉛直方向上向きに、または、メッセンジャーワイヤ６０に鉛直方向下向きに力がかかっても、容易に外れることはなく、略環状フック部５３が外れるのは、メッセンジャーワイヤ６０がかなり撓んだ場合に限られる。
【０００８】
Ｕ形状フック部５２は、前述のように、略環状フック部５３を掛けた後にメッセンジャーワイヤ６０を少し捩って引っ掛けられる。そのため、図６（ｂ）に示すように、メッセンジャーワイヤ６０はＵ形状フック部５２のケーブル支持部側５２ａの接触部分に押し付けられるようになり、Ｕ形状フック部５２の先端方向へ動くことが抑制されるので、通常時には外れにくい構造となっている。
【０００９】
ケーブルハンガ５０については、例えば、特許文献１の特開２００９−１５９７３７号「ケーブルハンガ」などが提案されている。このケーブルハンガは、複数のケーブルを支持することができ、且ついずれのケーブルをも容易に取り出すことができるようにしたものである。
【特許文献１】特開２００９−１５９７３７号
【発明の開示】
【発明が解決しようとする課題】
【００１０】
前述のように、ケーブルハンガ５０は、通常時は外れにくい構造となっている。しかしながら、Ｕ形状フック部５２においては、線状部材５１がＵ形状であるのでケーブルハンガ５０のみに鉛直方向上向きに、または、メッセンジャーワイヤ６０のみに鉛直方向下向きに強い力がかかると、Ｕ形状フック部５２のＵ形状の開口部から、メッセンジャーワイヤ６０が外れてしまうおそれがある。また、一旦Ｕ形状フック部５２が外れると、人為的に略環状フック部５３を中心に略９０度回転させて取り付けられていたケーブルハンガ５０は回転させる前の状態に戻り、略環状フック部５３も簡単に外れ、メッセンジャーワイヤ６０に吊架されていたケーブルハンガ５０が落下するというおそれがあった。
【００１１】
また、ケーブルハンガ５０は、前述のように略環状フック部５３においてメッセンジャーワイヤ６０を挟持し、Ｕ形状フック部５２においてメッセンジャーワイヤ６０をケーブル支持部側に押し付けているので、ケーブルハンガ５０にメッセンジャーワイヤ６０に沿って移動させようとする力が働いても、摩擦力によりある程度までは防ぐことができるようになっている。
【００１２】
しかしながら、メッセンジャーワイヤ６０やケーブル６１は架空されているので、風の強いところなどでは、その風圧を直接受けてしまい、または、風圧によるケーブル６１やメッセンジャーワイヤ６０の縦方向や横方向への揺れの影響を受けて、ケーブルハンガ５０の位置が動くという問題があった。
【００１３】
ここでケーブルハンガ５０は１ｍ以下の間隔で取り付けることが定められているので、このような場合には、適正な電線保持のために、その都度ケーブルハンガ５０の位置を正規の位置に設置し直す必要が生じる。これらの作業は支持物のない高所での作業であり、高所作業車などの特殊車両を使って行われるものであり、経済的な負担が大きい。また、メッセンジャーワイヤ６０に沿って移動しながらの作業となるので、時間的な負担も大き
い。
【００１４】
本発明は、上述した問題点を解決するために提案されたものである。すなわち本発明の目的は、移動留め具又はその部材の有する弾性力を利用して、ケーブルハンガ５０がメッセンジャーワイヤ６０に取り付けた位置から移動すること、及びメッセンジャーワイヤ６０から外れて落下してしまうことを防ぐことができるケーブルハンガ５０の移動留め具を提供することにある。
【課題を解決するための手段】
【００１５】
上記の目的を達成するための本発明の第１の態様のケーブルハンガの移動留め具は、メッセンジャーワイヤ（６０）に掛着したケーブルハンガ（５０）の移動や外れを防ぐための留め具であって、前記メッセンジャーワイヤ（６０）と前記ケーブルハンガ（５０）とが接触して交差する交差部分（４）に取り付けられ、メッセンジャーワイヤ（６０）とケーブルハンガ（５０）のいずれか一方を弾性変形力によって把持し、他方を保持する形状、又はその両方を弾性変形力によって把持する形状を有することを特徴とする。
【００１６】
本発明の第２の態様のケーブルハンガの移動留め具は、第１の態様において、上部（２）と、該上部（２）の両端から対向して伸長する側部（３）と、からなる略コの字状に形成された弾性体であり、該上部（２）の内周縁は、前記交差部分（４）のケーブルハンガ（５０）の上側の形状に沿うように外側に凸状に湾曲して形成され、対向する前記側部（３）の先端により形成される開口部の間隔は、メッセンジャーワイヤ（６０）の断面の径より小さくなっていることを特徴とする。
【００１７】
本発明の第３の態様のケーブルハンガの移動留め具は、第１の態様において、メッセンジャーワイヤ（６０）を弾性変形力により抱えるように把持する把持部（１２ｂ）と、該把持部（１２ｂ）の端部とつながり、ケーブルハンガ（５０）を挟むように保持する保持部（１２ａ）と、からなる略イプシロンの小文字形状とした弾性体であり、該把持部（１２ｂ）と該保持部（１２ａ）とをつなぐ連結部（５）が、移動留め具の両端の位置より突出するように形成されたことを特徴とする。
【００１８】
本発明の第４の態様のケーブルハンガの移動留め具は、第１の態様において、コイル形状を有する弾性体であり、前記メッセンジャーワイヤ（６０）と前記ケーブルハンガ（５０）とを圧接するように巻き付けられて取り付けられることを特徴とする。
【００１９】
本発明の第５の態様のケーブルハンガの移動留め具は、第１の態様において、前記交差部分（４）においてケーブルハンガ（５０）の軸方向と垂直に、ケーブルハンガ（５０）を鉛直方向上側から押さえ、メッセンジャーワイヤ（６０）との間に挟むように保持する保持部（１４ａ）と、該保持部（１４ａ）の一端側に形成され、前記メッセンジャーワイヤ（６０）を抱えるように把持する把持部（１４ｂ）と、該保持部（１４ａ）の他端側に形成され、前記メッセンジャーワイヤ（６０）に巻き付く螺旋部（１４ｃ）と、を有し、該移動留め具は、前記把持部（１４ｂ）をメッセンジャーワイヤ（６０）に嵌め込むことで、前記保持部（１４ａ）が該交差部分（４）の上側を跨ぐように形成され、さらに前記螺旋部（１４ｃ）をメッセンジャーワイヤ（６０）に巻き付けて取り付けられる、ことを特徴とする。
【００２０】
本発明の第６の態様のケーブルハンガの移動留め具は、第１の態様において、両端に掛け部（１５ｂ、１５ｃ）を形成した弾性体であって、該掛け部の一方（１５ｂ）をメッセンジャーワイヤ（６０）に掛着するために屈曲して形成されたケーブルハンガ（５０）のフック部（５２又は５３）の交差部分（４）より先端側である外側に、他方の掛け部（１５ｃ）を前記フック部（５３又は５２）の交差部分（４）より内側に、メッセンジャーワ
イヤ（６０）を下側から支えるように引き伸ばした状態で掛止することによって、間隔の狭いフック部の交差部分（４）方向へ付勢力を働かせて、前記メッセンジャーワイヤ（６０）を前記ケーブルハンガ（５０）に圧接させることを特徴とする。
【発明の効果】
【００２１】
本発明のケーブルハンガの移動留め具は、移動留め具又はその部材の有する弾性力を利用して、メッセンジャーワイヤ（６０）とケーブルハンガ（５０）のフック部（５３又は５２）を把持、圧接または支持し、ケーブルハンガが移動すること、及びケーブルハンガがメッセンジャーワイヤから外れることを防ぐことができる。
【図面の簡単な説明】
【００２２】
【図１】本発明の実施例１のケーブルハンガの移動留め具を示した図であり、（ａ）は平面図、（ｂ）はＵ字フック部に嵌め込んだ移動留め具を鉛直方向上側から見た図、（ｃ）は、メッセンジャーワイヤの中心軸方向の、略環状フック部５３側から見た概略図、（ｄ）は実施例１の変形例である。
【図２】本発明の実施例２の移動留め具を示した図であり、（ａ）は平面図、（ｂ）は交差部分に取り付けたときの移動留め具とメッセンジャーワイヤ６０やケーブルハンガ５０との関係を示した図、（ｃ）はＵ字フック部に取り付けた移動留め具を鉛直方向上側から見た図である。
【図３】本発明の実施例３の移動留め具を示した図であり、（ａ）は正面図、（ｂ）はＵ形状フック部に取り付けた移動留め具を鉛直方向上側からから見たものである。
【図４】本発明の実施例４の移動留め具を示した図であり、（ａ）は斜視図、（ｂ）はＵ字フック部に嵌め込んだ移動留め具の斜視図である。
【図５】本発明の実施例５の移動留め具を示した図であり、（ａ）は正面図、（ｂ）はＵ形状フック部に取り付けた状態をメッセンジャーワイヤの中心軸に垂直な方向から見た図である。
【図６】メッセンジャーワイヤに吊架したケーブルハンガを示した図であり、（ａ）はメッセンジャーワイヤの中心軸に対して垂直方向から見た正面図、（ｂ）は平面図、（ｃ）は右側面図である。
【発明を実施するための最良の形態】
【００２３】
以下、本発明のケーブルハンガの移動留め具の好ましい実施の形態を、図面に基づいて説明する。
【実施例１】
【００２４】
図１（ａ）は実施例１の移動留め具の平面図であり、（ｂ）はＵ形状フック部に取り付けた移動留め具を鉛直方向上側から見た図である。
図１（ａ），（ｂ）に示すように、移動留め具１１は、略コの字状の線状部材で、メッセンジャーワイヤ６０とケーブルハンガ５０の交差部分４（以下、「交差部分」という）に開口部を下向きにして、メッセンジャーワイヤ６０の軸方向と垂直に、鉛直方向上方向から嵌め込まれる弾性体である。開口部に対向する上部２の下端縁は、取り付け時に接する、Ｕ字フック部５２の線状部材５１の上側の形状に沿うように、外側に凸状に湾曲して形成してある。上部２の長手方向の長さＤ１は、移動留め具１１を取り付けた状態においてケーブルハンガ５０のＵ形状フック部５２の線状部材５１を、移動留め具１１を含む平面で切断した切断面の楕円の長辺ｄ１よりも長く形成される。
また、上部２の両端から下方向に延長される、対向する２つの側部３は、下方に行くに従って両側部３の間隔が狭くなるように斜めに形成され、移動留め具１１の開口部の間隔Ｄ２は、メッセンジャーワイヤ６０の断面の径ｄ３のより小さくなるように形成されている。また、側部３の先端部分はメッセンジャーワイヤ６０を包み込むようにわずかに内側に湾曲している。移動留め具１１の上部２から開口部までの距離Ｄ３は、メッセンジャー
ワイヤ６０の断面の径ｄ３とケーブルハンガ５０の断面の径ｄ２との合計した長さとほぼ同じ距離となっている。
【００２５】
メッセンジャーワイヤ６０とケーブルハンガ５０は、図１（ａ）に示すように、移動留め具１１の内周の、上部２の中央部分２ａと側部３の下端部分３ａとで、移動留め具１１の弾性力によって把持される。メッセンジャーワイヤ６０がＵ形状フック部５２の先端部５２ｂが、移動留め具１１から抜けてしまうことを妨げることで、ケーブルハンガ５０のＵ形状フック部５２がメッセンジャーワイヤ６０から外れるのを防ぐことができる。
また、メッセンジャーワイヤ６０とケーブルハンガ５０との摩擦力、移動留め具１１とメッセンジャーワイヤ６０及びケーブルハンガ５０との摩擦力によって、ケーブルハンガ５０が当初の設置場所から移動することも防ぐことができる。
【００２６】
図１（ａ）に示すように、移動留め具１１の上部２の長さＤ１はフック部の切断面楕円の長辺の長さｄ１よりも長く、上部２の下端縁は、線状部材５１の交差部分４上側の形状に沿うように、外側に凸状に湾曲して形成してある。そのため、ケーブルハンガ５０は、メッセンジャーワイヤ６０の中心軸方向に対して垂直かつ略水平方向への移動が可能である。さらに、移動留め具１１は、メッセンジャーワイヤ６０とケーブルハンガ５０とを把持するように取り付けられるものの、メッセンジャーワイヤ６０とケーブルハンガ５０とを弾性力によって把持しているので、ケーブルハンガ５０のスムーズな回動を後述する所定の範囲において可能とする。
【００２７】
図１（ｃ）は、移動留め具１１をメッセンジャーワイヤ６０の中心軸方向の、略環状フック部５３側から見た図であり、ケーブルハンガ５０が回動したときの線状部材５１の断面を模式的に示した図である。
ケーブルハンガ５０が右方向（図１（ｂ），（ｃ）における矢印ａの方向）に回動したときは、線状部材５１は移動留め具１１の右側側部３１に接する位置（５１ａ）まで動くことができ、反対にケーブルハンガ５０が左方向（図１（ｂ），（ｃ）における矢印ｂの方向）に回動したときは、線状部材５１は移動留め具１１の右側側部３２に接する位置（５１ｂ）まで動くことができる。このように、ケーブルハンガ５０は所定の範囲において回動可能であり、メッセンジャーワイヤ６０が捩れや捻りによって磨耗するのを防ぐことができる。
【００２８】
図１（ｄ）には、実施例１の変形例である移動留め具１１´を示す。移動留め具１１と異なり、側部３´の略中央部を内側方向に凸状となるように形成して、側部３´の下端部分３ａ´が、メッセンジャーワイヤ６０の外周に沿うようにしている。このような形状とすることで、移動留め具１１´は、メッセンジャーワイヤ６０をより強固に把持し、移動や外れを防ぐことができる。
【００２９】
移動留め具１１，１１´の太さは、容易に取り付け・取り外しができ、ケーブルハンガ５０とメッセンジャーワイヤ６０を係止できる弾性力と、風等によりケーブルハンガ５０が回動したときにも壊れないだけの強度を有していれば、小さいほうが良い。移動留め具１１，１１´が、ケーブルハンガ５０の回動を妨げないためである。また、移動留め具１１，１１´は上記効果を有するものであれば、線状部材に限られない。
【００３０】
本実施例の移動留め具１１，１１´は、略コの字状の弾性体なので容易に取り付け・取り外しができる。ケーブル６１の増架・減架の工事の都度、ケーブルハンガ５０の撤去、設置が必要となるが、スムーズに作業を行うことができる。
また、移動留め具１１，１１´は、取り付け・取り外しをさらに容易にするために、側部３の先端部分を延長して、反り返るように略Ｃ形状となるように外側に湾曲し、針金製鍵ホックの受け金のような形状としても良い。このような部分を設けることで、移動留め
具の挿入部分がなだらかな曲面状になること、また、略Ｃ形状を形成している部分に指等を引っ掛けて挿入部分を拡張することも可能であり、取り付け・取り外しが容易となる。さらに移動留め具の端部が直接メッセンジャーワイヤ６０に当たらないので、メッセンジャーワイヤ６０の損傷を防ぐことができる。端部は略Ｃ形状に限らず、上記のような効果が得られる形状であれば良い。
【００３１】
移動留め具１１，１１´の素材は、メッセンジャーワイヤ６０とケーブルハンガ５０とを把持し、圧接できる弾性力を有する素材であればよい。素材をプラスチック製にすれば、素材の重量が軽いので、メッセンジャーワイヤ６０に係る負担が少ない。また、プラスチック廃材を再利用でき、安いコストで作ることができる。
メッセンジャーワイヤ６０に接する部分を摩擦係数の高くなるように加工すれば、ケーブルハンガ５０の移動、外れを防ぐのにより効果的である。
【００３２】
実施例１においては、Ｕ形状フック部５２に移動留め具１１，１１´を嵌め込んでいるが、強風対策が必要な地域においては、略環状フック部５３にも設置することで、ケーブルハンガ５０の移動・脱落をより効果的に防止することができる。以下記載する実施例についても同様である。
【実施例２】
【００３３】
図２（ａ）は実施例２のケーブルハンガ５０の移動留め具の平面図、（ｂ）は交差部分に取り付けたときの移動留め具のメッセンジャーワイヤ６０やケーブルハンガ５０との関係を示した図、（ｃ）はＵ字フック部５２に嵌め込んだ移動留め具を鉛直方向上側から見た図である。
図２（ａ），（ｂ）に示すように、実施例２の移動留め具１２は、略イプシロンの小文字形状の線状部材からなる弾性体であり、上側の湾曲部分である保持部１２ａと下側の湾曲部分である把持部１２ｂとを備えている。把持部１２ｂの径Ｄ４は、メッセンジャーワイヤ６０の径ｄ３よりも小さく形成される。また、保持部１２ａと把持部１２ｂとをつなぐ連結部の先端５は、移動留め具１２の両端の位置を結んだ線より突出するように形成される。保持部１２ａは、Ｕ形状フック部５２の線状部材５１の形状に沿うように、略楕円形であり、その短辺Ｄ５は線状部材５１の径ｄ２とほぼ同じであり、その長辺Ｄ６は、移動留め具１２を取り付けた状態においてケーブルハンガ５０のフック部を、移動留め具１２を含む平面で切断した切断面の楕円の長辺ｄ５よりも長く形成される。
【００３４】
図２（ｃ）に示すように、移動留め具１２は、メッセンジャーワイヤ６０とケーブルハンガ５０の交差部分４に、メッセンジャーワイヤ６０の中心軸方向に対して略垂直かつ水平方向にＵ字フック部５２の先端部５２ｂ側から、メッセンジャーワイヤ６０を把持部１２ｂに、ケーブルハンガ５０を保持部１２ａに嵌め込んで取り付けられる。
【００３５】
この時、移動留め具１２の把持部１２ｂは、メッセンジャーワイヤ６０の軸方向と垂直な断面円周に嵌め込まれ、弾性力によってメッセンジャーワイヤ６０を抱えるように把持するので、移動留め具１２の移動を防ぐことができる。さらに、移動留め具１２は、保持部１２ａによりケーブルハンガ５０を挟むように保持するので、ケーブルハンガ５０の移動をも防ぐ。
また、移動留め具１２の連結部の先端５は、前述のように突出して形成され、図２（ｃ）に示すように移動留め具１２がＵ形状フック部５２にぶつかることを防ぎ、Ｕ形状フック部５２の回動を妨げないようになっている。保持部１２ａの長辺の長さＤ６が前述の長辺ｄ５よりも長く形成されていることも、ケーブルハンガ５０を回動可能としている。
【００３６】
この移動留め具１２は、ケーブルハンガ５０に鉛直方向上向きの力が働いても、保持部１２ａによりその動きが阻止されるので、メッセンジャーワイヤ６０からケーブルハンガ
５０が外れるのを防ぐことができる。また、移動留め具１１，１１´と異なり、移動留め具１２の開口部は水平方向に開いているので、移動留め具１２に鉛直方向上向きの力が働いても、メッセンジャーワイヤ６０から外れにくい。
【実施例３】
【００３７】
実施例３の移動留め具１３は、コイル形状のばね素材からなる。図３（ａ）は実施例３の移動留め具１３の正面図であり、（ｂ）はＵ字フック部５２に取り付けた実施例３のケーブルハンガ５０の移動留め具１３を鉛直方向上側から見た図である。
移動留め具１３は、移動留め具１３の端部からメッセンジャーワイヤ６０とケーブルハンガ５０を挟み込んで、移動留め具１３を回転させ、メッセンジャーワイヤ６０とケーブルハンガ５０がコイルの内側に入るように取り付けていくものである。
【００３８】
図３（ａ）に示すように、移動留め具１３は、螺旋状に略３周半旋回形成された円筒状コイルばねであり、使用時には、図３（ｂ）に示すように、メッセンジャーワイヤ６０とケーブルハンガ５０の交差部分でその径が広げられて、メッセンジャーワイヤ６０等の回りを略３周する長さを有している。図３（ｂ）に示すように、螺旋の中央部分１３ａはメッセンジャーワイヤ６０とケーブルハンガ５０を把持するように巻きつき、螺旋の両端部分１３ｂ、１３ｃはメッセンジャーワイヤ６０にのみ巻き付く。
【００３９】
このように移動留め具１３は、その螺旋の中央部１３ａにおいてメッセンジャーワイヤ６０とケーブルハンガ５０を把持し、コイルバネの弾性力によってメッセンジャーワイヤ６０にケーブルハンガ５０を圧接するので、前述の実施例１の移動留め具１１と同様に移動・脱落を防ぐことができる。
また、本実施例の移動留め具１３は、前述のように、メッセンジャーワイヤ６０とケーブルハンガ５０を把持する螺旋の中央部分１３ａにおいて開口部を有さず、さらに螺旋の両端部分１３ｂ、１３ｃはメッセンジャーワイヤ６０に巻き付いているので、一度取り付ければ、人が外そうとしない限り移動留め具１３自体が外れることはない。
【００４０】
さらに、移動留め具１３のコイルは、螺旋の中央部１３ａのみが、メッセンジャーワイヤ６０とケーブルハンガ５０を把持しているので、必要以上にメッセンジャーワイヤ６０の回動を妨げることもない。よって、移動留め具１３を取り付けた後も、メッセンジャーワイヤ６０に吊架されたケーブルハンガ５０は回動可能であり、メッセンジャーワイヤ６０が縒れや捻れのために、損傷することがない。
【００４１】
図３（ａ）に示すように、本実施例の移動留め具１３の両端１３ｂ１，１３ｃ１はコイル断面の径よりも大きい径を有する球状形状とすることが望ましい。尖った形状では、メッセンジャーワイヤ６０を傷つけてしまうからである。また、移動留め具１３の両端１３ｂ１，１３ｃ１が、メッセンジャーワイヤ６０との接触部において僅かではあるが摩擦力により引掛かるので、コイル状である移動留め具１３が動いて外れてしまうことを防ぐことができる。さらに、取り付け・取り外しをするときに、作業者の手を傷つけることも防げる。なお、この形状は、前述の実施例１や２、または後述の実施例４や５についても、利用できる。
【実施例４】
【００４２】
図４（ａ）は実施例４のケーブルハンガ５０の移動留め具の斜視図、（ｂ）はＵ字フック部５２に嵌め込んだ移動留め具の斜視図である。
実施例４の移動留め具１４は、図４（ａ）に示すように、保持部１４ａと把持部１４ｂと螺旋部１４ｃと連結部１４ｄとを備えた、弾性変形力を有する線状部材からなる。把持部１４ｂは、略楕円形状であり、その一部は開口している。把持部１４ｂの、保持部１４ａに繋がる一端１４ｂ１側は、略３６０度外側に湾曲するように延長され、把持部１４ｂ
の略３分の１の長さ分、把持部１４ｂに沿って戻るように形成される連結部１４ｄを介して、保持部１４ａに繋がっている。保持部１４ａは、連結部１４ｄの一端側から把持部１４ｂと離れるように略９０度湾曲して延長され、交差部分のケーブルハンガ５０の線状部材５１の上部の形状に沿って略半円形状に、把持部１４ｂを含む面と垂直になるように形成される。螺旋部１４ｃは保持部１４ａを把持部１４ｂと反対側に延長するように、螺旋状に略１周分時計回りに湾曲して設けられる。
把持部１４ｂの内周は、Ｕ字フック部５２の内側の形状に沿うように鉛直方向にメッセンジャーワイヤ６０を切断した場合の、メッセンジャーワイヤ６０断面の楕円形と、長辺は略同じ長さであり、短辺は短い楕円形となっている。また、螺旋部１４ｃの螺旋径はメッセンジャーワイヤ６０の径より短い。
【００４３】
図４（ｂ）に示すように、移動留め具１４は、略水平方向にＵ形状フック部５２の先端５２ｂ側から、交差部分４に保持部１４ａが位置するように、メッセンジャーワイヤ６０の、交差部分よりも内側に把持部１４ｂを嵌め込まれ、その後に螺旋部１４ｃを、メッセンジャーワイヤ６０の、交差部分４よりも外側に巻きつけて、取り付けられる。
このとき、交差部分４では、前述のようにメッセンジャーワイヤ６０に対してケーブルハンガ５０は斜めに掛けられており（図６（ｂ）参照）、移動留め具１４の把持部１４ｂと連結部１４ｄは、交差部分４において、ケーブルハンガ５０のＵ字フック部５２の内側の形状に沿うように、メッセンジャーワイヤ６０に対して斜めに取り付けられるように形成されている。また、把持部１４ｂの一端である１４ｂ１が連結部１４ｄと繋がる部分は、ケーブルハンガ５０が回動したときにＵ字フック部５２が乗り上げることがないように膨らむように湾曲され、平面になるように形成される。このように形成されることによって、ケーブルハンガ５０のスムーズな回動が可能となる。
【００４４】
移動留め具１４は、前述のように把持部１４ｂの短辺が短い楕円形であり、把持部１４ｂによってメッセンジャーワイヤ６０を抱えるように把持するので、その移動・脱落を防ぐことができる。また、螺旋部１４ｃの螺旋径はメッセンジャーワイヤ６０の径より短いので、メッセンジャーワイヤ６０を把持するように巻き付き、同様に移動留め具１４が移動・脱落するのを防ぐ。
保持部１４ａは、ケーブルハンガ５０を鉛直方向上側から押さえ、メッセンジャーワイヤ６０との間に挟むように保持するので、ケーブルハンガ５０が外れるのを防ぐことができる。また、保持部１４ａは前述のようにケーブルハンガ５０の線状部材５１の上部の形状に沿って形成されており、さらに螺旋部１４ｃは弾性力を有するので、移動留め具１２と同様にケーブルハンガ５０の回動を妨げることはない。
【００４５】
移動留め具１４は、メッセンジャーワイヤ６０の中心軸方向から見ると、把持部１４ｂと螺旋部１４ｃによって、メッセンジャーワイヤ６０を全方向について取り囲む形状になっているので、メッセンジャーワイヤ６０から外れにくい。また、この移動留め具１４によって保持されるケーブルハンガ５０も、鉛直方向上向きの動きが保持部１４ａによって妨げられるので、メッセンジャーワイヤ６０から外れてしまうこともほとんどない。
【００４６】
この移動留め具１４であれば、前述の移動留め具１３に比べて、螺旋部分が少なく、取り付け・取り外しが容易である。
本実施例の移動留め具１４は全体が弾性素材からなるが、保持部１４ａについては、弾性素材に限られず、ケーブルハンガ５０を保持できるものであれば良い。
また、移動留め具１４の把持部１４ｂは、略楕円形状の線状部材であるが、メッセンジャーワイヤ６０の中心軸方向に厚みを有するものとすることが望ましい。よりメッセンジャーワイヤ６０を強固に把持することができるからである。
【実施例５】
【００４７】
図５（ａ）は実施例５の移動留め具１５を示した図で、（ｂ）は移動留め具１５をケーブルハンガ５０のＵ形状フック部５２に取り付けた状態を示したものであり、メッセンジャーワイヤ６０の中心軸に垂直な方向から見た図である。
図５（ａ）に示すように、実施例５の移動留め具は、コイル部１５ａと、コイル部の一端部を引き方向に略９０度曲げたリング状の掛け部１５ｂと、コイル部の他端部を加工したフック状の掛け部１５ｃとを有する引きばねからなる。両端の掛け部１５ｂ，１５ｃは同一平面上に位置している。
【００４８】
図５（ｂ）に示すように、本実施例の移動留め具１５は、移動留め具１５に備えるリング状の掛け部１５ｂを予めケーブルハンガ５０のＵ形状フック部５２のケーブル支持具側５２ａに通しておき、ケーブルハンガ５０をメッセンジャーワイヤ６０に吊架した後に、移動留め具１５の引きばね部分１５ａを延ばした状態にして他端のフック状の掛け部１５ｃをＵ形状フック部５２の先端部５２ｂ側に掛けるものである。
【００４９】
Ｕ形状フック部５２は、前述のように、交差部分４から先端部５２ｂ側に行くほどケーブル支持具側５２ａから離れて広がっていくように捻られている。よって、図５（ｂ）に示すように、ケーブルハンガ５０に両掛け部１５ｂ，１５ｃが掛かった移動留め具１５には、引きばねである移動留め具１５自身の有する弾性力により、距離の短い方、すなわちフック部の交差部分４方向（矢印方向）に動こうとする力が働く。よって、メッセンジャーワイヤ６０は移動留め具１５によりケーブルハンガ５０の屈曲部方向に押されるので、ケーブルハンガ５０が外れるのを防ぐことができる。また、メッセンジャーワイヤ６０はケーブルハンガ５０に圧接されるので、ケーブルハンガ５０がメッセンジャーワイヤ６０の取り付け位置から移動することも防ぐことができ、ケーブルハンガ５０の回動も可能である。  
【００５０】
本移動留め具１５は、引きばねによってできているので容易に取り付け、取り外しができる。また、リング状の掛け部１５ｂを、予めケーブルハンガ５０のＵ形状フック部５２のケーブル支持具側５２ａに通しておくので、万が一先端部５２ｂ側に掛けた掛け部１５ｃが外れたとしても、ケーブルハンガ５０が外れない限り、移動留め具１５が落下することはない。
【００５１】
掛け部１５ｂはフック状とすることも可能である。その場合は、ケーブルハンガ５０をメッセンジャーワイヤ６０に吊架した後に両掛け部１５ｂ，１５ｃを前述同様の位置に引っ掛けることで同様の効果が得られる。
また、反対に掛け部１５ｃの形状は、フック状ではなく、リング状であっても良い。この場合は、Ｕ形状フック部５２の先端部５２ｂを通して引っ掛けなければならないので、容易に伸ばすことができ、かつケーブルハンガ５０とメッセンジャーワイヤ６０とを係止できるほどの弾性力を有している必要がある。    
【産業上の利用可能性】
【００５２】
本発明のケーブルハンガの移動留め具は、吊架用線等の線状部材に吊架された物の移動・脱落防止に利用する事ができる。
【符号の説明】
【００５３】
１１，１１´，１２，１３，１４，１５      移動留め具        
５０      ケーブルハンガ    
５１      線状部材  
５２      Ｕ形状フック部
５３      略環状フック部  
５４      ケーブル支持部  
５５      ケーブル受具
６０      メッセンジャーワイヤ  
６１      ケーブル   
【図１】
2011188566.tif 000003
【図２】
2011188566.tif 000004
【図３】
2011188566.tif 000005
【図４】
2011188566.tif 000006
【図５】
2011188566.tif 000007
【図６】
2011188566.tif 000008